(57)【要約】【課題】透過光の回折像を生成することができ、これによりモアレ現象を防止し、視認性を改善することができるタッチパネルを提供する。【解決手段】本発明によるタッチパネル１００は、互いに対向する第１内角及び第２内角が同一であり、前記第１内角及び前記第２内角以外の互いに対向する第３内角及び第４内角が相違する長方形パターン１１５の組み合わせで形成された電極パターン１１０を含むものである。【選択図】図１
2014049114.tif 000002
【特許請求の範囲】
【請求項１】
互いに対向する第１内角及び第２内角が同一であり、前記第１内角及び前記第２内角以外の互いに対向する第３内角及び第４内角が相違する長方形パターンの組み合わせで形成された電極パターンを含むタッチパネル。
【請求項２】
隣接した二つの前記長方形パターンのうち一つの前記長方形パターンの前記第１内角または前記第２内角は、他の前記長方形パターンの前記第３内角または前記第４内角と隣り合う請求項１に記載のタッチパネル。
【請求項３】
前記電極パターンが形成された透明基板をさらに含む請求項１に記載のタッチパネル。
【請求項４】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される請求項１に記載のタッチパネル。
【請求項５】
前記電極パターンは、銀塩乳剤層を露光／現像して形成される金属銀で形成される請求項１に記載のタッチパネル。
【請求項６】
互いに対向する第１内角及び第２内角が同一であり、前記第１内角及び前記第２内角以外の互いに対向する第３内角及び第４内角が相違する第１長方形パターンの組み合わせで形成された第１電極パターンと、
互いに対向する第５内角及び第６内角が同一であり、前記第５内角及び前記第６内角以外の互いに対向する第７内角及び第８内角が相違する第２長方形パターンの組み合わせで形成された第２電極パターンと、
を含むタッチパネル。
【請求項７】
隣接した二つの前記第１長方形パターンのうち一つの前記第１長方形パターンの前記第１内角または前記第２内角は、他の前記第１長方形パターンの前記第３内角または前記第４内角と隣り合い、
隣接した二つの前記第２長方形パターンのうち一つの前記第２長方形パターンの前記第５内角または前記第６内角は、他の前記第２長方形パターンの前記第７内角または前記第８内角と隣り合う請求項６に記載のタッチパネル。
【請求項８】
前記第１長方形パターン及び前記第２長方形パターンは、同一である請求項６に記載のタッチパネル。
【請求項９】
前記第２長方形パターンの前記第７内角が存在する頂点と、前記第２長方形パターンの前記第８内角が存在する頂点とを連結した仮想線の中心は前記第１長方形パターンの頂点に対応するように配置される請求項８に記載のタッチパネル。
【請求項１０】
一面に前記第１電極パターンが形成され、他面に前記第２電極パターンが形成された透明基板をさらに含む請求項６に記載のタッチパネル。
【請求項１１】
前記第１電極パターンが形成された第１透明基板と、
前記第２電極パターンが形成された第２透明基板と、
をさらに含む請求項６に記載のタッチパネル。
【請求項１２】
前記第１電極パターンまたは前記第２電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される請求項６に記載のタッチパネル。
【請求項１３】
前記第１電極パターンまたは前記第２電極パターンは、銀塩乳剤層を露光／現像して形成される金属銀で形成される請求項６に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を用いてテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などのディスプレイの表示面に設けられ、ユーザがディスプレイを見ながら所望の情報を選択するために用いられる機器である。
【０００６】
また、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在最も幅広い分野で用いられている方式は、抵抗膜方式タッチパネル及び静電容量方式タッチパネルである。
【０００７】
一方、タッチパネルは、特許文献１のように、金属を用いて電極パターンを形成する研究が活発に進められている。このように、金属で電極パターンを形成すると、電気伝導度に優れ、需給がスムーズになるという利点がある。しかし、金属で電極パターンを形成する場合、ユーザに認識されることを防止するために、マイクロメータ（μｍ）単位のメッシュ（Ｍｅｓｈ）構造に形成しなければならない。しかし、メッシュ構造にタッチパネルの電極パターンを形成すると、タッチパネルの電極パターンとディスプレイ（ＬＣＤなど）に備えられたカラーフィルター（Ｃｏｌｏｒ  Ｆｉｌｔｅｒ）のブラックマトリックス（Ｂｌａｃｋ  Ｍａｔｒｉｘ）パターン間の周期特性が重複するため、モアレ（ｍｏｉｒｅ）現象が生じ、視認性が低下するという問題点が存在する。
【先行技術文献】
【特許文献】
【０００８】
【特許文献１】韓国公開特許第１０−２０１０−００９１４９７号公報
【発明の概要】
【発明が解決しようとする課題】
【０００９】
本発明は、上述した従来技術の問題点を解決するためのものであって、本発明の目的は、互いに対向する二つの内角が同一であり、他の互いに対向する二つの内角が相違する長方形パターンを用いて折れ線を有する電極パターンを形成することで、透過光の回折像を生成することができるタッチパネルを提供することにある。
【課題を解決するための手段】
【００１０】
本発明の第１実施例によるタッチパネルは、互いに対向する第１内角及び第２内角が同一であり、前記第１内角及び前記第２内角以外の互いに対向する第３内角及び第４内角が相違する長方形パターンの組み合わせで形成された電極パターンを含む。
【００１１】
また、本発明の第１実施例によるタッチパネルにおいて、隣接した二つの前記長方形パターンのうち一つの前記長方形パターンの前記第１内角または前記第２内角は、他の前記長方形パターンの前記第３内角または前記第４内角と隣り合う。
【００１２】
また、本発明の第１実施例によるタッチパネルにおいて、前記電極パターンが形成された透明基板をさらに含む。
【００１３】
また、本発明の第１実施例によるタッチパネルにおいて、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される。
【００１４】
また、本発明の第１実施例によるタッチパネルにおいて、前記電極パターンは、銀塩乳剤層を露光／現像して形成される金属銀で形成される。
【００１５】
本発明の第２実施例によるタッチパネルは、互いに対向する第１内角及び第２内角が同一であり、前記第１内角及び前記第２内角以外の互いに対向する第３内角及び第４内角が相違する第１長方形パターンの組み合わせで形成された第１電極パターンと、互いに対向する第５内角及び第６内角が同一であり、前記第５内角及び前記第６内角以外の互いに対向する第７内角及び第８内角が相違する第２長方形パターンの組み合わせで形成された第２電極パターンと、を含む。
【００１６】
また、本発明の第２実施例によるタッチパネルにおいて、隣接した二つの前記第１長方形パターンのうち一つの前記第１長方形パターンの前記第１内角または前記第２内角は、他の前記第１長方形パターンの前記第３内角または前記第４内角と隣り合い、隣接した二つの前記第２長方形パターンのうち一つの前記第２長方形パターンの前記第５内角または前記第６内角は、他の前記第２長方形パターンの前記第７内角または前記第８内角と隣り合う。
【００１７】
本発明の第２実施例によるタッチパネルにおいて、前記第１長方形パターン及び前記第２長方形パターンは、同一である。
【００１８】
また、本発明の第２実施例によるタッチパネルにおいて、前記第２長方形パターンの前記第７内角が存在する頂点と、前記第２長方形パターンの前記第８内角が存在する頂点とを連結した仮想線の中心は、前記第１長方形パターンの頂点に対応するように配置される。
【００１９】
また、本発明の第２実施例によるタッチパネルにおいて、一面に前記第１電極パターンが形成され、他面に前記第２電極パターンが形成された透明基板をさらに含む。
【００２０】
また、本発明の第２実施例によるタッチパネルにおいて、前記第１電極パターンが形成された第１透明基板と、前記第２電極パターンが形成された第２透明基板と、をさらに含む。
【００２１】
また、本発明の第２実施例によるタッチパネルにおいて、前記第１電極パターンまたは前記第２電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される。
【００２２】
また、本発明の第２実施例によるタッチパネルにおいて、前記第１電極パターンまたは前記第２電極パターンは、銀塩乳剤層を露光／現像して形成される金属銀で形成される。
【発明の効果】
【００２３】
本発明によると、互いに対向する二つの内角が同一であり、他の互いに対向する二つの内角が相違する長方形パターンを用いて折れ線を有する電極パターンを形成することで、透過光の回折像を生成することができ、これによりモアレ現象を防止し、視認性を改善することができる効果がある。
【００２４】
また、本発明によると、電極パターンを直線で形成することで、曲線やアーク線（Ａｒｃ  ｌｉｎｅ）で電極パターンを形成することに比べて、製作及び面積算出が容易になるという利点がある。
【００２５】
また、本発明によると、二層の電極パターンを重畳しても、重畳した電極パターンで形成された仮想の長方形パターンの面積が全て同一であり、特定部分が目立ってユーザに認識されることを防止することができる効果がある。
【図面の簡単な説明】
【００２６】
【図１】本発明の第１実施例によるタッチパネルの平面図である。
【図２】図１に図示されたＡ部分の拡大図である。
【図３】図１に図示されたタッチパネルの断面図である。
【図４】本発明の第２実施例によるタッチパネルの平面図である。
【図５】図４に図示されたＢ部分の拡大図である。
【図６】図４に図示された第１、２長方形パターンの拡大図である。
【図７】本発明の第２実施例によるタッチパネルの断面図である。
【図８】本発明の第２実施例によるタッチパネルの断面図である。
【図９】本発明の第２実施例によるタッチパネルの断面図である。
【発明を実施するための形態】
【００２７】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２８】
以下、添付図面を参照して本発明の好ましい実施例を詳細に説明する。
【００２９】
図１は、本発明の第１実施例によるタッチパネルの平面図であり、図２は、図１に図示されたＡ部分の拡大図である。
【００３０】
図１から図２に図示されたように、本実施例によるタッチパネル１００は、互いに対向する第１内角θ１及び第２内角θ２が同一であり、第１内角θ１及び第２内角θ２以外の互いに対向する第３内角θ３及び第４内角θ４が相違する長方形パターン１１５の組み合わせで形成された電極パターン１１０を含む。
【００３１】
前記電極パターン１１０は、ユーザのタッチ時に信号を発生してコントローラでタッチ座標を認識できるようにする機能を果たす。ここで、電極パターン１１０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを用いて微細パターンに形成することができる。この際、電極パターン１１０は、メッキ工程やスパッタ（Ｓｐｕｔｔｅｒ）を用いた蒸着工程により形成することができる。一方、電極パターン１１０を銅（Ｃｕ）などの金属で形成する場合、電極パターン１１０の表面に黒化処理を施すことができる。ここで、黒化処理とは、電極パターン１１０の表面を酸化させてＣｕ２ＯまたはＣｕＯを析出することであって、Ｃｕ２Ｏは褐色を帯びるため、ブラウンオキサイド（Ｂｒｏｗｎ  ｏｘｉｄｅ）とし、ＣｕＯは黒色を帯びるため、ブラックオキサイド（Ｂｌａｃｋ  ｏｘｉｄｅ）とする。このように、電極パターン１１０の表面に黒化処理を施すことで、光が反射することを防止することができ、これによりタッチパネル１００の視認性を改善させることができる利点がある。一方、上述した金属の他にも、電極パターン１１０は銀塩乳剤層を露光／現像して形成された金属銀を用いて形成することもできる。
【００３２】
また、電極パターン１１０は、一定の規則に従ってパターニングされる。具体的に、電極パターン１１０は、互いに対向する第１内角θ１及び第２内角θ２が同一であり、第１内角θ１及び第２内角θ２以外の互いに対向する第３内角θ３及び第４内角θ４が相違する長方形パターン１１５の組み合わせで形成される。この際、長方形パターン１１５において、第３内角θ３を形成する二つの辺１１９の長さが互いに同一であり、第４内角θ４を形成する二つの辺１１９の長さもまた互いに同一である。また、隣接した二つの長方形パターン１１５のうち一つの長方形パターン１１５の第１内角θ１または第２内角θ２は、他の長方形パターン１１５の第３内角θ３または第４内角θ４と隣り合う。この際、隣接した四つの長方形パターン１１５が一つの頂点１１７を共有するように配置されるが、前記頂点１１７を中心に第１内角θ１、第２内角θ２、第３内角θ３及び第４内角θ４が形成されるように四つの長方形パターン１１５が配置される。ここで、第３内角θ３及び第４内角θ４は相違するため、長方形パターン１１５は、頂点１１７を通過して生成される折れ線を有する。このような折れ線は、透過光の回折像を生成することで、モアレ現象を防止し、視認性を改善することができる。また、モアレ現象を防止し、視認性を改善すると共に、電極パターン１１０を基本的に直線を用いて形成することで、曲線やアーク線（Ａｒｃ  ｌｉｎｅ）で形成することに比べて、製作及び面積算出が容易になるという利点がある。一方、電極パターン１１０を形成する長方形パターン１１５は、全て同一である。従って、特定部分が目立ってユーザに認識されることを防止することができる効果がある。
【００３３】
また、図３は、図１に図示されたタッチパネルの断面図である。
【００３４】
図３に図示されたように、本実施例によるタッチパネル１００は、電極パターン１１０が形成される透明基板１２０を含むことができる。ここで、透明基板１２０は、電極パターン１１０が形成される領域を提供する。この際、透明基板１２０は、電極パターン１１０を支持する支持力とディスプレイで提供される画像をユーザが認識するための透明性を備えなければならない。前記支持力及び透明性を考慮すると、透明基板１２０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することができるが、必ずしもこれに限定されるものではない。
【００３５】
一方、透明基板１２０の一面を活性化させるために高周波処理またはプライマー（Ｐｒｉｍｅｒ）処理を施すことができる。このように、透明基板１２０の一面を活性化させることで、透明基板１２０と電極パターン１１０との間の接着力を向上させることができる。
【００３６】
さらに、電極パターン１１０の縁部には、電極パターン１１０から電気的信号を送受信する電極配線が形成される。この際、電極配線は電極パターン１１０と一体に形成して製造工程を簡素化し、リードタイム（Ｌｅａｄ  Ｔｉｍｅ）を短縮することができる。また、電極配線と電極パターン１１０を一体に形成することで、電極配線と電極パターン１１０との接合工程を省略することができ、これにより電極配線と電極パターン１１０との間の段差発生や接合不良の問題を予め防止することができる効果がある。
【００３７】
図４は、本発明の第２実施例によるタッチパネルの平面図であり、図５は、図４に図示されたＢ部分の拡大図である。
【００３８】
図４から図５に図示されたように、本実施例によるタッチパネル２００は、互いに対向する第１内角θ１及び第２内角θ２が同一であり、第１内角θ１及び第２内角θ２以外の互いに対向する第３内角θ３及び第４内角θ４が相違する第１長方形パターン２１５の組み合わせで形成された第１電極パターン２１０と、互いに対向する第５内角θ５及び第６内角θ６が同一であり、第５内角θ５及び第６内角θ６以外の互いに対向する第７内角θ７及び第８内角θ８が相違する第２長方形パターン２２５の組み合わせで形成された第２電極パターン２２０と、を含む。
【００３９】
本実施例によるタッチパネル２００は、二つの電極パターン（第１電極パターン２１０及び第２電極パターン２２０）を含む点において前記第１実施例によるタッチパネル１００と相違する。従って、本実施例によるタッチパネル２００については、第１実施例によるタッチパネル１００と重複する部分を省略し、第１電極パターン２１０及び第２電極パターン２２０などを中心に説明する。
【００４０】
前記第１、２電極パターン２１０、２２０は、一定の規則に従ってパターニングされる。具体的に、第１電極パターン２１０は、互いに対向する第１内角θ１及び第２内角θ２が同一であり、第１内角θ１及び第２内角θ２以外の互いに対向する第３内角θ３及び第４内角θ４が相違する第１長方形パターン２１５の組み合わせで形成される。また、第２電極パターン２２０は、互いに対向する第５内角θ５及び第６内角θ６が同一であり、第５内角θ５及び第６内角θ６以外の互いに対向する第７内角θ７及び第８内角θ８が相違する第２長方形パターン２２５の組み合わせで形成される。この際、第１長方形パターン２１５において、第３内角θ３を形成する二つの辺２１９の長さが互いに同一であり、第４内角θ４を形成する二つの辺２１９の長さもまた互いに同一であり、第２長方形パターン２２５において、第７内角θ７を形成する二つの辺２２９の長さが互いに同一であり、第８内角θ８を形成する二つの辺２２９の長さもまた互いに同一である。また、隣接した二つの第１長方形パターン２１５のうち一つの第１長方形パターン２１５の第１内角θ１または第２内角θ２は、他の第１長方形パターン２１５の第３内角θ３または第４内角θ４と隣り合う。この際、隣接した四つの第１長方形パターン２１５が一つの頂点２１７を共有するように配置され、前記頂点２１７を中心に第１内角θ１、第２内角θ２、第３内角θ３及び第４内角θ４が形成されるように四つの第１長方形パターン２１５が配置される。これと同様に、隣接した二つの第２長方形パターン２２５のうち一つの第２長方形パターン２２５の第５内角θ５または第６内角θ６は、他の第２長方形パターン２２５の第７内角θ７または第８内角θ８と隣り合う。この際、隣接した四つの第２長方形パターン２２５が一つの頂点２２７を共有するように配置され、前記頂点２２７を中心に第５内角θ５、第６内角θ６、第７内角θ７及び第８内角θ８が形成されるように四つの第２長方形パターン２２５が配置される。ここで、第３内角θ３及び第４内角θ４は相違するため、第１長方形パターン２１５は頂点２１７を通過して生成される折れ線を有し、第７内角θ７及び第８内角θ８が相違するため、第２長方形パターン２２５は頂点２２７を通過して生成される折れ線を有する。このような折れ線は、透過光の回折像を生成することで、モアレ現象を防止し、視認性を改善することができる。また、モアレ現象を防止し、視認性を改善すると共に、第１、２電極パターン２１０、２２０を基本的に直線を用いて形成することで、曲線やアーク線（Ａｒｃ  ｌｉｎｅ）で形成することに比べて、製作及び面積算出が容易になるという利点がある。一方、第１電極パターン２１０を形成する第１長方形パターン２１５は全て同一であり、第２電極パターン２２０を形成する第２長方形パターン２２５は全て同一である。従って、特定部分が目立ってユーザに認識されることを防止することができる効果がある。
【００４１】
また、図６は、図４に図示された第１、２長方形パターンの拡大図である。
【００４２】
図６に図示されたように、第１長方形パターン２１５及び第２長方形パターン２２５は、互いに同一であることがある。この際、第２長方形パターン２２５の第７内角θ７が存在する頂点２２７と、第２長方形パターン２２５の第８内角θ８が存在する頂点２２７とを連結した仮想線２３０の中心は、第１長方形パターン２１５の頂点２１７に対応するように配置されることができる。このように、第１長方形パターン２１５と第２長方形パターン２２５とが重畳することで、第２長方形パターン２２５は、第１長方形パターン２１５の辺２１９により分割され、これにより同一の面積を有する仮想の第３長方形パターン３１０が二つ形成され、同一の面積を有する仮想の第４長方形パターン３２０が二つ形成される。ここで、第３長方形パターン３１０は第２長方形パターン２２５と類似した形状を有し、第３長方形パターン３１０の辺の長さは第２長方形パターンの辺２２９の長さの１／２であるため、第３長方形パターン３１０の面積は第２長方形パターン２２５の面積の１／４である。従って、二つの第３長方形パターン３１０の面積は第２長方形パターン２２５の面積の１／２を占め、第２長方形パターン２２５の面積の他の１／２は二つの第４長方形パターン３２０が占める。結果、第４長方形パターン３２０の面積は、第２長方形パターン２２５の面積の１／４であり、第４長方形パターン３２０の面積及び第３長方形パターン３１０の面積は同一である。このように、第３長方形パターン３１０の面積及び第４長方形パターン３２０の面積が同一であるため、第１長方形パターン２１５及び第２長方形パターン２２５が重畳しても、特定部分が目立ってユーザに認識されることを防止することができる効果がある。
【００４３】
また、図７から図９は、本発明の第２実施例によるタッチパネルの断面図である。
【００４４】
図７に図示されたように、本実施例によるタッチパネル２００は、一面に第１電極パターン２１０が形成され、他面に第２電極パターン２２０が形成される透明基板１２０を含むことができる。ここで、透明基板１２０は、第１、２電極パターン２１０、２２０が形成される領域を提供する。但し、必ずしも一つの透明基板１２０の両面に第１電極パターン２１０及び第２電極パターン２２０が形成される必要はない。即ち、図８に図示されたように、透明基板１２０に第１電極パターン２１０を形成した後、透明基板１２０に絶縁層２４０を形成し、絶縁層２４０に第２電極パターン２２０を形成することができる。その他にも、図９に図示されたように、二つの透明基板１２０を備え、二つの透明基板１２０にそれぞれ第１電極パターン２１０及び第２電極パターン２２０が形成されることができる。この場合、二つの透明基板１２０は、接着層２５０で接着されることができる。
【００４５】
さらに、第１、２電極パターン２１０、２２０の縁部には、第１、２電極パターン２１０、２２０から電気的信号を送受信する電極配線が形成されることができる。この際、電極配線は、第１電極パターン２１０と一体に形成し、第２電極パターン２２０と一体に形成することで、製造工程を簡素化し、リードタイム（Ｌｅａｄ  Ｔｉｍｅ）を短縮することができる。また、電極配線と第１、２電極パターン２１０、２２０を一体に形成することで、電極配線と第１、２電極パターン２１０、２２０との接合工程を省略することができ、これにより電極配線と第１、２電極パターン２１０、２２０との間の段差発生や接合不良の問題を予め防止することができる効果がある。
【００４６】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００４７】
本発明の単純な変形乃至変更はいずれも本発明の領域に属するものであり、本発明の具体的な保護範囲は添付の特許請求の範囲により明確になるであろう。
【産業上の利用可能性】
【００４８】
本発明は、タッチパネルに適用可能である。
【符号の説明】
【００４９】
１００、２００  タッチパネル
１１０  電極パターン
１１５  長方形パターン
１１７  長方形パターンの頂点
１１９  長方形パターンの辺
１２０  透明基板
２１０  第１電極パターン
２１５  第１長方形パターン
２１７  第１長方形パターンの頂点
２１９  第１長方形パターンの辺
２２０  第２電極パターン
２２５  第２長方形パターン
２２７  第２長方形パターンの頂点
２２９  第２長方形パターンの辺
２３０  仮想線
２４０  絶縁層
２５０  接着層
３１０  第３長方形パターン
３２０  第４長方形パターン
θ１  第１内角
θ２  第２内角
θ３  第３内角
θ４  第４内角
θ５  第５内角
θ６  第６内角
θ７  第７内角
θ８  第８内角
【図１】
2014049114.tif 000003
【図２】
2014049114.tif 000004
【図３】
2014049114.tif 000005
【図４】
2014049114.tif 000006
【図５】
2014049114.tif 000007
【図６】
2014049114.tif 000008
【図７】
2014049114.tif 000009
【図８】
2014049114.tif 000010
【図９】
2014049114.tif 000011